(57)【要約】【課題】  幅広の肥料タンクを装備した肥料タンクの底面に、数多の肥料繰出口を設けてなる肥料散布において、筋蒔き散布位置も任意に選択でき、筋蒔き散布と全面散布の切換えが簡単にできる。【解決手段】  肥料タンクの底面の肥料繰出口のシャッタは、肥料繰出口ごとに単独に開閉できる手段を設けた。また、シャッタは繰出口ごとに単独に設けてあり、シャッタはそれぞれ連動して同時に作動が可能であると供に、個別に連動を解除可能に設けてあり、希望する箇所のシャッタのみを連動させて開閉することで、筋蒔き散布を簡単に行うことができる。【選択図】      図１
2005176794.tif 000002
【特許請求の範囲】
【請求項１】
幅広の肥料タンクを装備し、その肥料タンクの底面に数多の肥料繰出口を設けてなる肥料散布機において、前記肥料繰出口のシャッタは肥料繰出口ごとに単独に開閉できる手段を設けたことを特徴とする肥料散布機。
【請求項２】
肥料繰出口ごとに単独に開閉できるシャッタは、他のシャッタと連動して同時に開閉できると供に、希望位置のシャッタのシャッタ連動装置を解除することで、シャッタとシャッタを作動するリンクが外れ、シャッタ開閉レバーを作動しても解除されたシャッタは連動せず、希望する位置のシャッタのみの開閉動作を止めることが可能なシャッタ構造を有したことを特徴とする肥料散布機。
【発明の詳細な説明】
【技術分野】
【０００１】
本発明は、肥料散布機のシャッタ開閉装置に関するものである。
【背景技術】
【０００２】
従来知られた肥料散布機は、同一出願人による「農用トラクタに装着する横長ホッパーの下部に複数個の落下孔を設けた肥料散布機において、落下孔のシャッターを２分割するとともにシャッターを開閉する左右一対のレバーの回動支点を同一軸上に設けて連動または単独での操作を可能としたシャッター連動装置」が公知である。（特許文献１）
【特許文献１】実開昭６３−１１２４２１号公報
【発明の開示】
【発明が解決しようとする課題】
【０００３】
前記従来技術における肥料散布機のシャッタ開閉装置は、肥料タンクの長手方向のシャッタを２分割したもので、左右のシャッタの開閉の使い分けができるが、筋蒔き散布の場合のように選択した任意の位置の肥料繰出口のみを開閉することはできないという問題があった。
【課題を解決するための手段】
【０００４】
前記課題を解決するために、幅広の肥料タンクを装備し、その肥料タンクの底面に数多の肥料繰出口を設けてなる肥料散布機において、前記肥料繰出口のシャッタは肥料繰出口ごとに単独に開閉できる手段を設けた。また、肥料繰出口ごとに単独に開閉できるシャッタは、他のシャッタと連動して同時に開閉できると供に、希望位置のシャッタのシャッタ連動装置を解除することで、シャッタとシャッタを作動するリンクが外れ、シャッタ開閉レバーを作動しても解除されたシャッタは連動せず、希望する位置のシャッタのみの開閉動作を止めることが可能なシャッタ構造を有した肥料散布機を提供したものである。
【発明の効果】
【０００５】
以上のような構成にすることにより、肥料の全面散布及び筋蒔き散布が簡単に切換えができ、筋蒔き散布の場合、散布位置も任意に選択できるため、作物の種類により畝巾が変化しても簡単に対応できる。
【発明を実施するための最良の形態】
【０００６】
以下、本発明の実施の形態として一実施例を図面に基づいて説明する。図１は本発明を実施した肥料散布機の一部断面をした側面図、図２は本発明を実施した肥料散布機の全体斜視図、図３は肥料散布機の底面より見たシャッタ作動説明図である。
【０００７】
図１と図２において、機枠１前方下部にはロアリンクピン１１が、機枠１前方上部にはトップブラケットを備え、図示されていないがトラクタ三点リンク機構に装着される。１３は肥料タンクで、この上面には上面カバー１４が開閉自在に設けられて、散布する肥料は上面カバー１４を開けて肥料タンク１３内に投入される。
【０００８】
肥料タンク１３内には、肥料を攪拌、繰出しするアジテータ１７があり、トラクタの動力により駆動される。駆動力は図示されていないが、トラクタＰＴＯ軸とユニバーサルジョイントで入力軸１５と連結され、入力軸１５が設けられている減速機１６で減速されてアジテータ１７に伝達される。
【０００９】
幅広の肥料タンク１３の底面には、数多の肥料繰出口が設けてあり、それぞれの肥料繰出口に設けられたシャッタ３の開閉により肥料を散布可能であり、シャッタ３の開閉は、シャッタ開閉レバー２を操作するとシャッタ開閉ロット２１及びシャッタ開閉アーム２２を介してスライドプレート３４を作動させ、これに係合したシャッタ３が開閉される。
【００１０】
レバーガイド２３に表示されたシャッタ開度目盛２５を目処に、シャッタ開閉レバー２を希望する位置に合わせると、所定量の肥料が散布される。
【００１１】
シャッタ開閉解除ロット３１を引いて、スライドプレート３４とシャッタ３の係合を解除すると、解除されたシャッタ３は、スライドプレート３４が作動しても開閉が行われず、解除されたシャッタ部分のみ肥料は散布されない。
【００１２】
図３は本発明を実施した肥料散布機のシャッタ作動説明図で、肥料散布機の下方より見た状態を示したもので、（Ａ）はシャッタ開閉レバー２を閉じた状態を示し、（Ｂ）はシャッタ開閉レバー２を開いた状態を示したものである。
【００１３】
スライドプレート３４は、保持金具３４ｂにより肥料タンク１３の底面に摺動自在に取り付けられていて、シャッタ開閉レバー２を操作することで、肥料タンク１３の長手方向に摺動される。
【００１４】
スライドプレート３４には、シャッタ開閉解除ロット３１が支持されていて、シャッタ３側にスプリング３５によって圧着されていて、シャッタ開閉解除ロット３１のシャッタ３側には、シャッタ３に取り付けられたシャッタ回動ピン３２と係合するＵ字状係合片３１ａが設けられ、他方端にはハンドル３１ｂがあり、ハンドル３１ｂを引いてロットスライド固定ピン３６をガイドプレート３４ａに係止すると、Ｕ字状係合片３１ａはシャッタ回動ピン３２と係合が外れる。
【００１５】
シャッタ３は、シャッタ回動支点３３を中心に回動するように取り付けられ、回動させることで肥料繰出口３７が開閉される。シャッタ開閉レバー２を操作すると、スライドプレート３４が摺動されて、Ｕ字状係合片３１ａが係合しているシャッタ３の開閉動作が行われる。
【００１６】
図３の例では、ｃ，ｄ，ｅ，ｈ，ｉ，ｊのシャッタ開閉解除ロット３１が引かれて、シャッタ３との連結が解除されているため、シャッタ開閉レバー２を操作すると、ａ，ｂ，ｆ，ｇ，ｋ，ｌのシャッタが開閉されて筋蒔き散布ができる。
【図面の簡単な説明】
【００１７】
【図１】本発明を実施した肥料散布機の一部断面をした側面図
【図２】本発明を実施した肥料散布機の全体斜視図
【図３】肥料散布機の底面より見たシャッタ作動説明図
【符号の説明】
【００１８】
１      機枠
１１    ロアリンクピン
１２    トップブラケット
１３    肥料タンク
１４    上面カバー
１５    入力軸
１６    減速機
１７    アジテータ
２      シャッタ開閉レバー
２１    シャッタ開閉ロット
２２    シャッタ開閉アーム
２３    レバーガイド
２４    開度目盛
３      シャッタ
３１    シャッタ開閉解除ロット
３１ａ  Ｕ字状係合片
３１ｂ  ハンドル
３２    シャッタ回動ピン
３３    シャッタ回動支点
３４    スライドプレート
３４ａ  ガイドプレート
３４ｂ  保持金具
３５    スプリング
３６    ロットスライド固定ピン
３７    肥料繰出口
４０    シャッタ連動装置
【図１】
2005176794.tif 000003
【図２】
2005176794.tif 000004
【図３】
2005176794.tif 000005